(57)【要約】      （修正有）【課題】体に付着した粘性が高い付着物を容易に除去することができるのは勿論のこと、体の表面を拭き取る機能を兼備した介護用具を提供する。【解決手段】介護用具１は、板状部材２とシート状部材４を備える。板状部材２は、防水加工が施された厚紙や合成樹脂等のある程度剛性を有する材料からなり、平板状に形成されている。板状部材２の外周端縁の少なくとも一部、図示例では下端縁に、体の形状に沿うよう凹形状に湾曲した湾曲部３を備える。湾曲部３は、例えば、体の拭き取りを行い清潔に保つ部分である被清拭部（例えば、臀部など）の形状に沿った相対的に大きな曲率半径を有し、中央部が上方へ向けて凹んだ円弧形状又は楕円形状などに湾曲した形状に形成されている。板状部材２は、袋状のシート状部材４の内部に収容され、シート状部材４の下端縁が板状部材２の湾曲部３にフィットするように構成されている。【選択図】図１
2017118986.tif 000002
【特許請求の範囲】
【請求項１】
外周端縁の少なくとも一部に体の形状に沿うよう湾曲した湾曲部を有する板状部材と、
前記板状部材の湾曲部に密着した状態で当該湾曲部を表裏にわたり被覆するシート状部材と、
を備えたことを特徴とする介護用具。
【請求項２】
外周端縁の少なくとも一部に体の形状に沿うよう湾曲した湾曲部を有する板状部材と、
前記板状部材の湾曲部に密着した状態で当該湾曲部を表裏にわたり着脱自在に被覆するシート状部材と、
を備えたことを特徴とする介護用具。
【請求項３】
前記シート状部材は、前記板状部材の湾曲部を被覆するよう装着する際、当該シート状部材に前記板状部材の湾曲部と対向する側の端部に向けた張力を作用させることにより、前記シート状部材の外周端縁を前記板状部材の湾曲部に密着させることを特徴とする請求項２に記載の介護用具。
【請求項４】
前記板状部材は、前記湾曲部と対向する側の端縁に対向部を有し、
前記シート状部材は、伸縮性を有する素材から袋状に形成され、前記板状部材の湾曲部と対向する側の端縁に当該板状部材を出し入れする開口部を備えるとともに、前記開口部の一部を閉塞する閉塞部を有し、
前記シート状部材は、前記開口部を介して前記板状部材を内部に挿入することで、前記板状部材の対向部が前記シート状部材の閉塞部に接触して当該閉塞部を前記板状部材の湾曲部から離間する方向に変位させることにより、前記シート状部材の外周端縁を前記板状部材の湾曲部に密着させることを特徴とする請求項２又は３に記載の介護用具。
【請求項５】
前記板状部材は、防水加工を施した厚紙、合成樹脂又はゴムのいずれか１つ以上からなることを特徴とする請求項１乃至４のいずれかに記載の介護用具。
【請求項６】
前記シート状部材は、液体を含浸させた不織布からなることを特徴とする請求項１乃至５のいずれかに記載の介護用具。
【請求項７】
前記板状部材は、前記湾曲部に対応した端縁が弾性体により形成されていることを特徴とする請求項１乃至６のいずれかに記載の介護用具。
【請求項８】
前記板状部材は、手の指を挿通することで把持する把持部を有することを特徴とする請求項１乃至７のいずれかに記載の介護用具。
【発明の詳細な説明】
【技術分野】
【０００１】
この発明は、介護用具に関するものである。
【背景技術】
【０００２】
従来、在宅で家族や介護福祉士等により介護を受ける高齢者、介護施設の利用者や入居者或いは病院に入院している患者などにおいては、排尿や排便を自己の意思でコントロールすることが困難な場合や、自らトイレに行くことが困難な場合などに、下腹部を覆うように着用して排泄物（尿や便）を捕捉するおむつが使用される。また、高齢者などにおいては、在宅で家族や介護福祉士などの介護を受けるにあたり、排尿や排便を自己の意思でコントロールすることが可能な場合であっても、トイレに行く負担を軽減するためにおむつが使用される場合もある。一般におむつは、紙や布等からなるが、現在では紙製の使い捨ておむつが主に用いられている。
【０００３】
そして、高齢者や介護施設の利用者・入居者、或いは入院患者などがおむつで排便等を行ったときには、着用者の体からおむつを脱がせて、臀部等に付着した便などを濡れたタオルやペーパータオルなどで拭き取ることにより清浄にした後に、新しいおむつと履き替えることが行われている。
【０００４】
その際、粘性が高い排泄物などの場合には、排泄物が体に付着して濡れたタオルやペーパータオルなどで容易に取り除くことができないことがあり、濡れたタオルやペーパータオルなどを多量に消費し、又、処理に長い時間を要し、高齢者や入院患者などを介護する家族や介護福祉士等の負担が大きいという技術的課題を有していた。特に、便秘気味な高齢者においては、便秘を解消するために下剤を使用している場合など、排泄物が臀部等の広い範囲にわたって付着することがあり、濡れたタオルやペーパータオルなどでは除去することが困難であって、多くの濡れたタオルやペーパータオルなどを使用することとなり、高齢者や入院患者を介護する家族や介護福祉士等の負担が増大するとともに、介護を受ける高齢者等にとってもおむつの交換に要する時間が長くなり負担が大きいものであった。
【０００５】
そこで、かかる課題を解決し得る技術としては、例えば、特許文献１等に開示されたものが既に提案されている。
【０００６】
特許文献１には、おむつを使用している人の体に付着した粘性が強く容易に拭き取ることができない大便などを剥がして除去するためのへらを提供することを目的とし、へらの外周に体にフィットするための凸状、凹状のゆるやかなカーブ及び丸みを設け、排泄物を除去するものが記載されている。
【先行技術文献】
【特許文献】
【０００７】
【特許文献１】特開２００７−１３６１１３号公報
【発明の概要】
【発明が解決しようとする課題】
【０００８】
しかしながら、上記従来技術の場合には、次のような問題点を有していた。すなわち、特許文献１の場合には、へらの外周に体にフィットするための凸状、凹状のゆるやかなカーブ及び丸みを設け、体に付着した大便等の付着物をへらにより掻き取ることで除去するように構成したものであるが、このへらは、硬質の厚紙等からなるものであって、体に付着した付着物を掻き取ることが可能であっても拭き取る作用が得られず、へらを用いて付着物を掻き取る際に却って付着物を体に擦りつけることとなる虞れがあり、最終的に濡れたタオルやペーパータオルなどを用いて拭き取る必要があるという技術的課題を有していた。
【０００９】
また、上記特許文献１の場合には、硬質の厚紙等からなるへらによって体に付着した付着物を掻き取るものであり、硬質のへらが皮膚に直接接触するため、高齢者の皮膚を傷つけるという技術的課題をも有していた。特に、体に付着した粘性が高い排泄物を除去する場合など、へらに力を入れて付着物を掻き取る必要があるため、硬質の厚紙等からなるへらによって皮膚が擦られ、高齢者の皮膚を傷つけるという技術的課題をも有していた。
【００１０】
そこで、この発明は、上記従来技術の課題を解決して、体に付着した粘性が高い付着物を容易に除去することができるのは勿論のこと、体の表面を拭き取る機能を兼備した介護用具を提供することを目的とするものである。
【課題を解決するための手段】
【００１１】
請求項１に記載された発明は、外周端縁の少なくとも一部に体の形状に沿うよう湾曲した湾曲部を有する板状部材と、
前記板状部材の湾曲部に密着した状態で当該湾曲部を表裏にわたり被覆するシート状部材と、
を備えたことを特徴とする介護用具である。
【００１２】
また、請求項２に記載された発明は、外周端縁の少なくとも一部に体の形状に沿うよう湾曲した湾曲部を有する板状部材と、
前記板状部材の湾曲部に密着した状態で当該湾曲部を表裏にわたり着脱自在に被覆するシート状部材と、
を備えたことを特徴とする介護用具である。
【００１３】
さらに、請求項３に記載された発明は、前記シート状部材は、前記板状部材の湾曲部を被覆するよう装着する際、当該シート状部材に前記板状部材の湾曲部と対向する側の端部に向けた張力を作用させることにより、前記シート状部材の外周端縁を前記板状部材の湾曲部に密着させることを特徴とする請求項２に記載の介護用具である。
【００１４】
又、請求項４に記載された発明は、前記板状部材は、前記湾曲部と対向する側の端縁に対向部を有し、
前記シート状部材は、伸縮性を有する素材から袋状に形成され、前記板状部材の湾曲部と対向する側の端縁に当該板状部材を出し入れする開口部を備えるとともに、前記開口部の一部を閉塞する閉塞部を有し、
前記シート状部材は、前記開口部を介して前記板状部材を内部に挿入することで、前記板状部材の対向部が前記シート状部材の閉塞部に接触して当該閉塞部を前記板状部材の湾曲部から離間する方向に変位させることにより、前記シート状部材の外周端縁を前記板状部材の湾曲部に密着させることを特徴とする請求項２又は３に記載の介護用具である。
【００１５】
更に、請求項５に記載された発明は、前記板状部材は、防水加工を施した厚紙、合成樹脂又はゴムのいずれか１つ以上からなることを特徴とする請求項１乃至４のいずれかに記載の介護用具である。
【００１６】
また、請求項６に記載された発明は、前記シート状部材は、液体を含浸させた不織布からなることを特徴とする請求項１乃至５のいずれかに記載の介護用具である。
【００１７】
さらに、請求項７に記載された発明は、前記板状部材は、前記湾曲部に対応した端縁が弾性体により形成されていることを特徴とする請求項１乃至６のいずれかに記載の介護用具である。
【００１８】
又、請求項８に記載された発明は、前記板状部材は、手の指を挿通することで把持する把持部を有することを特徴とする請求項１乃至７のいずれかに記載の介護用具である。
【発明の効果】
【００１９】
この発明によれば、体に付着した粘性が高い付着物を容易に除去することができるのは勿論のこと、体の表面を拭き取る機能を兼備した介護用具を提供することができる。
【図面の簡単な説明】
【００２０】
【図１】この発明の実施の形態１に係る介護用具を示す構成図である。
【図２】板状部材を示す構成図である。
【図３】シート状部材を示す構成図である。
【図４】この発明の実施の形態１に係る介護用具の装着方法を示す構成図である。
【図５】この発明の実施の形態１に係る介護用具の使用状態を示す構成図である。
【図６】この発明の実施の形態２に係る介護用具を示す構成図である。
【図７】固定具を示す構成図である。
【図８】この発明の実施の形態２に係る介護用具の装着状態を示す説明図である。
【図９】この発明の実施の形態２に係る介護用具を示す構成図である。
【図１０】この発明の実施の形態３に係る介護用具を示す構成図である。
【図１１】この発明の実施の形態３に係る介護用具を示す構成図である。
【図１２】この発明の実施の形態３に係る介護用具を示す構成図である。
【図１３】この発明の実施の形態４に係る介護用具を示す構成図である。
【図１４】この発明の実施の形態５に係る介護用具を示す構成図である。
【発明を実施するための形態】
【００２１】
以下に、この発明の実施の形態について図面を参照して説明する。
【００２２】
[実施の形態１]
図１はこの発明の実施の形態１に係る介護用具を示す構成図である。
【００２３】
この実施の形態１に係る介護用具１は、図１に示されるように、外周端縁の少なくとも一部に体の形状に沿うよう凹形状に湾曲した湾曲部３を有する板状部材２と、外周端縁の一部が板状部材２の湾曲部３に密着した状態で当該湾曲部３を表裏にわたり被覆するシート状部材４とを備える。
【００２４】
板状部材２は、図２に示されるように、防水加工が施された厚紙や合成樹脂、あるいはゴム等のある程度剛性を有する材料からなり、例えば１〜数ｍｍ程度の厚さを有する平板状に形成されている。但し、板状部材２の厚さは、これに限定されるものではなく、数ｍｍよりも厚く形成しても良い。この板状部材２は、その正面形状が相対的に高さ方向の長さＨよりも幅方向の長さＷが長く設定された略矩形状を呈する。板状部材２は、例えば、その高さＨが８ｃｍ程度、幅Ｗが１７ｃｍに設定される。板状部材２の外周端縁の少なくとも一部、図示例では下端縁に、体の形状に沿うよう凹形状に湾曲した湾曲部３を備える。湾曲部３は、例えば、体の拭き取りを行い清潔に保つ部分である被清拭部（例えば、臀部など）の形状に沿った相対的に大きな曲率半径を有し、中央部が上方へ向けて凹んだ円弧形状又は楕円形状などに湾曲した形状に形成されている。
【００２５】
また、板状部材２は、湾曲部３と対向する側（反対側）の端縁に当該湾曲部３から離間する方向、図示例では上方向に突出した対向部の一例としての突出部５を有している。突出部５は、例えば、板状部材２を手で持つ際の持ち易さや、板状部材２を手で持った際の力が湾曲部３に略均等に加わることなどを考慮して、湾曲部３と略相似形状に相対的に大きな曲率半径を有し、中央部が上方へ向けて突出した円弧形状又は楕円形状などに湾曲した形状に形成されている。ただし、突出部５の形状は、湾曲部３と略相似形状に限定されるものではなく、湾曲部３と対向する側の端縁の少なくとも一部が湾曲部３から離間する方向に突出した形状を有していれば良い。湾曲部３から突出部５までの長さは、当該湾曲部３の中央においてＨ１に設定されている。
【００２６】
さらに、板状部材２は、長手方向に沿った左右の両端縁６，７が比較的短い直線状に形成されているとともに、当該左右の両端縁６，７と湾曲部３及び突出部５とを接続する四方の角部８〜１１は、湾曲部３及び突出部５に比較して曲率半径が小さく設定された略円弧状にそれぞれ形成されている。また、左右の両端縁６，７と突出部５とを接続する角部１０，１１は、左右の両端縁６，７と湾曲部３とを接続する角部８，９よりも曲率半径が大きく設定されている。
【００２７】
なお、図示の実施の形態では、板状部材２が縦方向の中心線Ｃに対して左右対称な形状に形成されているが、板状部材２の形状は、左右非対称な形状であっても勿論よい。また、板状部材２の湾曲部の数は、１つに限定されるものでなく、複数個所にわたり設けても良い。この場合、例えば、左右の両端縁６，７を第２の湾曲部として形成することができる。
【００２８】
一方、シート状部材４は、図３に示されるように、伸縮性を有する布状の材料から同一形状に形成された表面側素材１２と裏面側素材１３を備えている。シート状部材４は、その上端部に設けられる開口部１４を除いて表面側素材１２及び裏面側素材１３の下端縁１５及び両側端縁１６，１７からなる外周端縁を接合することで、扁平な正面略長方形の袋状に形成されている。シート状部材４は、例えば、表面側素材１２及び裏面側素材１３の下端縁１５が一連に繋がるように一体的に裁断した状態で、両側端縁１６，１７を熱溶着や接着、あるいは縫着等の手段により接合することで、上端縁１８に開口部１４を有する袋状に形成される。また、シート状部材４は、当該シート状部材４が板状部材２にフィットすることを考慮して板状部材２の外形よりも一回り小さい形状に形成されている。この実施の形態では、シート状部材４の着用前の高さＨ’が、板状部材２の高さＨよりも小さく（Ｈ＞Ｈ’）、且つ、シート状部材４の着用前の幅Ｗ’が、板状部材２の幅Ｗよりも小さく（Ｗ＞Ｗ’）設定されている。
【００２９】
シート状部材４としては、例えば、使い心地や拭き取り性を考慮すると、比較的厚手で風合いの良い伸縮性を有する不織布を用いるのが望ましい。不織布の材料としては、例えば、セルロース繊維、レーヨン繊維、ポリエステル繊維、ポリオレフィン繊維、ナイロン繊維、ビニロン繊維などが挙げられる。
【００３０】
なお、シート状部材４の材料としては、不織布に限定されるものではなく、綿等の天然繊維やポリエステル等の合成繊維からなる織地や編地等の布状部材を用いても良い。この場合には、布状部材に伸縮糸を織り込む又は編み込むことにより伸縮性を持たせることができる。
【００３１】
シート状部材４は、上述したように、板状部材２の湾曲部３と対向する側の端縁、図示例では上端縁１８に当該板状部材３を出し入れする開口部１４を備えるとともに、この開口部１４の一部を閉塞する閉塞部１９を有している。開口部１４は、板状部材２の湾曲部３と対向する側の端縁１８に沿って略全長にわたり直線状に設けられている。また、閉塞部１９は、開口部１４の長手方向に沿った中央部に位置し、対向する表面側素材１２及び裏面側素材１３の端縁同士を熱溶着、接着や縫着、あるいはフックやホック等の締結具を用いた締結等の手段により接合することで構成されている。閉塞部１９から開口部１４の一端部までの長さＬは、板状部材２の高さＨよりも大きく（Ｌ＞Ｈ）設定されている。なお、閉塞部１９の位置は、開口部１４の長手方向に沿った中央部に限定されるものではなく、開口部１４の長手方向に沿った一端部寄りに設けて良い。また、閉塞部１９の数も１箇所に限定されるものではなく、開口部１４の長手方向に沿った中央部近傍に複数個所、あるいは中央部及び一端部寄りの位置など複数個所にわたり設けるように構成しても良い。
【００３２】
シート状部材４は、その下端縁１５から閉塞部１９までの高さＨ２が、板状部材２の湾曲部３から突出部５までの高さＨ１よりも低く（Ｈ１＞Ｈ２）設定されている。
【００３３】
また、シート状部材４は、不織布等からなるものをそのまま使用しても勿論良いが、この実施の形態では、拭き取り性や触感、あるいは衛生面などを考慮して、シート状部材４に液体を含浸させている。シート状部材４に含浸させる液体としては、例えば、水、あるいはエタノール、イソプロパノール、次亜塩素酸ナトリウム、過酸化水素水などの消毒液を挙げることができる。シート状部材４には、使用時に液体を含浸させても良いが、作業効率を考慮するとシート状部材４に予め液体を含浸させておくことが望ましい。また、シート状部材４に含浸させる液体には、メントールなどの清涼剤や芳香剤、あるいは消臭剤、保湿剤、潤滑剤などの添加剤を添加しても良い。
【００３４】
シート状部材４に液体を予め含浸させておく場合には、液体が蒸発するのを防止乃至抑制するため、液体を含浸させたシート状部材４をプラスチック製の容器かプラスチックフィルムからなる袋などの収容容器に密閉して複数枚或いは１枚単位で収容しておくことが望ましい。この実施の形態では、複数枚のシート状部材４をプラスチック製の容器に収容している。
【００３５】
以上の構成において、この実施の形態に係る介護用具では、次のようにして、体に付着した粘性が高い付着物を容易に除去することができるのは勿論のこと、体の表面を拭き取る機能を兼備した介護用具を提供することができる。
【００３６】
すなわち、この実施の形態に係る介護用具１は、例えば、在宅で家族や介護福祉士などの介護者により介護を受ける高齢者、介護施設の利用者や入居者或いは病院に入院している高齢者等の被介護者のために使用される。
【００３７】
これらの高齢者や入院患者などの被介護者においては、排尿や排便を自己の意思でコントロールすることが困難な場合や、自らトイレに行くことが困難な場合があり、下腹部を覆うように着用して排泄物（尿や便）を捕捉するおむつが使用される。
【００３８】
そして、高齢者や入院患者など被介護者がおむつを着用して排便等を行ったときには、被介護者の体からおむつを脱がせて、臀部等に付着した便などを除去して清浄にした後、新しいおむつと履き替えることが行われる。このとき、臀部等に付着した便、特に粘性が高い排泄物などの場合には、排泄物が体に付着して濡れたタオルやペーパータオルなどで取り除くことが困難なことがある。特に、便秘気味な高齢者においては、便秘を解消するために下剤を使用している場合など、排泄物が臀部等の広い範囲にわたって付着することがあり、濡れたタオルやペーパータオルなどでは除去することが困難なことが多い。
【００３９】
そこで、この実施の形態では、次のように介護用具１を用いることにより、臀部等に付着した便、特に粘性が高い排泄物などを容易に取り除くことができる。
【００４０】
介護用具１は、板状部材２とシート状部材４とが別々に分離された状態で保管されている。液体が含浸された袋状のシート状部材４は、プラスチック製の容器に密閉した状態で収容されている。
【００４１】
そのため、家族や介護福祉士等の介護者は、図４に示されるように、板状部材２及びシート状部材４を１枚ずつ取り出して、袋状のシート状部材４の内部に板状部材２を挿入して所定位置にセットする。このとき、板状部材２は、湾曲部３がシート状部材４の下端縁１５側に位置し、一方の端縁６が下方となるように傾けた状態で、シート状部材４の開口部１４を介して当該シート状部材４の内部の所定位置に収容される。
【００４２】
シート状部材４の内部に板状部材２を収容した状態では、図１に示されるように、シート状部材４の開口部１４に設けられた閉塞部１９が板状部材２の突出部５の最も上方に突出した略中央部の位置に係止される。ところで、介護用具１は、シート状部材４の下端縁１５から閉塞部１９までの高さＨ２が、板状部材２の湾曲部３から突出部５までの高さＨ１よりも低く（Ｈ１＞Ｈ２）設定されている。そのため、シート状部材４の閉塞部１９が板状部材３の突出部５の上端に係止された状態では、シート状部材４の下端縁１５を上方へ引っ張る引き上げ力が作用する。その結果、シート状部材４の下端縁１５は、板状部材２の湾曲部３の全長にわたり密着した状態となり、シート状部材４の下端縁１５と板状部材２の湾曲部３との間に隙間が生じないか又は生じ難くなっている。
【００４３】
そして、介護者は、図５に示すように、介護用具１の突出部５に沿った上端縁を手で把持した状態で、シート状部材４によって覆われた板状部材３の湾曲部３を被介護者の体の臀部等の被清拭部３０に沿わせて移動させることにより、臀部等に付着した便等の付着物（排泄物）２０を板状部材２の湾曲部３によって容易に掻き取ることができる。また、介護用具１は、板状部材２の湾曲部３がシート状部材４によって隙間なく覆われているため、被介護者の体には、液体が含浸されたシート状部材４が接触し、掻き取り作用とともにシート状部材４による拭き取り作用を同時に行うことができる。
【００４４】
このとき、便等の付着物２０が被介護者の体に強固に付着している場合であっても、介護用具１の板状部材３は、剛性を有しているため、介護者は、介護用具１の板状部材３を被介護者の体に沿って移動させることで容易に付着物２０を取り除くことが可能となる。
【００４５】
また、介護用具１の板状部材２は、シート状部材４で覆われているため、当該介護用具１を被介護者の体に沿って移動させた場合であっても、被介護者の皮膚を傷付けることを回避することができる。また、シート状部材４には、液体が含浸されているので、板状部材２によって体の臀部等を掻き取る際に液体が潤滑剤の役割を果たし、被介護者の皮膚を傷付けることが回避されるとともに、液体によって拭き取り作用が効果的に行われる。
【００４６】
使用後の介護用具１は、板状部材２が防水加工を施した厚紙等からなる場合、シート状部材４を被覆したままの状態でそのまま汚物として廃棄することができる。
【００４７】
一方、板状部材２が合成樹脂からなる場合には、シート状部材４から板状部材３を取り出した後、シート状部材４のみを廃棄すればよい。また、シート状部材４から取り出された板状部材２は、洗浄した後消毒して再利用することができ、経済的であるとともに、廃棄物の量を減少させることができる。
【００４８】
[実施の形態２]
図６はこの発明の実施の形態２を示すものであり、前記実施の形態１と同一の部分には同一の符号を付して説明すると、この実施の形態２では、シート状部材として予め袋状に形成されたものではなく、平面矩形状のシート状部材をそのまま使用するように構成されている。
【００４９】
すなわち、この実施の形態２では、図６に示されるように、実施の形態１と同様に構成された板状部材２の表裏両面における中央部の上方に、平面矩形状のシート状部材４を着脱するための補助具５０が接着等の手段により固着されている。この補助具５０は、図７に示されるように、合成樹脂や金属等により形成されており、板状部材２に固着される平面矩形状の平板部５１と、平板部５１の上端縁５１ａに１８０度開閉自在に設けられた複数本（図示例では３本）の爪部５２を備えている。爪部５２は、補助具５０を合成樹脂から形成する場合、爪部５２の基端部である平板部５１との境界に設けられたヒンジ部５３により、１８０度開閉自在に設けられる。また、爪部５２は、補助具５０を金属から形成する場合、別部材としての金属製の線材によって形成される。爪部５２の基端部は、Ｌ字形状又はＴ字形状に形成され、平板部５１に設けられた円筒状のヒンジ部５３に挿入されることより、１８０度開閉自在に設けられる。
【００５０】
また、爪部５２の先端部５４は、板状部材２の反対側の面に向けて折り曲げられており、当該爪部５２の先端部５４は、図８に示されるように、シート状部材４の上端部に刺し込まれた状態で起立され、シート状部材４を上方に引っ張り上げた状態で板状部材２の上端縁に引っ掛けられてシート状部材４を固定するように構成されている。
【００５１】
この実施の形態２では、図９に示されるように、平面矩形状のシート状部材４をそのまま使用することができるため、利便性を高めることができる。なお、シート状部材４は、必要に応じて複数枚を同時に使用することにより肌当たり性を向上させることができる。
【００５２】
その他の構成及び作用は、前記実施の形態と同様であるので、その説明を省略する。
【００５３】
[実施の形態３]
図１０はこの発明の実施の形態３を示すものであり、前記実施の形態１と同一の部分には同一の符号を付して説明すると、この実施の形態３では、実施の形態１に係る介護用具１に比較して拭き取り性を向上させたものである。
【００５４】
この実施の形態３に係る介護用具１は、図１０（ａ）に示されるように、板状部材２として上端部が連結された２枚の板状部材２，２を備えており、２枚の板状部材２，２の下端部には、円筒形状のスポンジ部材６０が挟持されている。スポンジ部材６０は、図１０（ｂ）及び図１１に示されるように、その下端部が２枚の板状部材２，２の下端部より下方に突出するように配置されている。
【００５５】
そして、スポンジ部材６０を挟持した２枚の板状部材２，２は、図１２に示されるように、実施の形態１と同様に、上端部が開口した袋状に形成されたシート状部材４の内部に収容されることにより介護用具１が構成されている。
【００５６】
この実施の形態３では、図１０（ａ）に示されるように、板状部材２，２の下端面がスポンジ部材６０を挟持している分だけ面積が大きくなり、拭き取り効果を飛躍的に高めることが可能となる。
【００５７】
また、この実施の形態３では、スポンジ部材６０の両側に板状部材２，２の下端部が位置しているため、板状部材２，２の下端部によって掻き取り効果をも良好に発揮することができる。
【００５８】
その他の構成及び作用は、前記実施の形態と同様であるので、その説明を省略する。
【００５９】
[実施の形態４]
図１３はこの発明の実施の形態４を示すものであり、前記実施の形態１と同一の部分には同一の符号を付して説明すると、この実施の形態４では、板状部材は、湾曲部に対応した端縁が弾性体により形成されているものである。
【００６０】
すなわち、この実施の形態４では、図１３に示すように、板状部材２の全体が合成樹脂から形成されているのではなく、板状部材２の湾曲部３に対応した先端に位置する端縁を構成する端縁構成部４０をゴム等の弾性体により形成したものである。板状部材２と湾曲部３に対応した端縁構成部４０とは、一体成形や接着等の手段によって一体的に構成されている。
【００６１】
この実施の形態４では、体に付着した便等の付着物を介護用具１によって取り除く際に、板状部材２の湾曲部３に対応した端縁構成部４０が弾性体からなり体の形状に沿って弾性変形するため、被介護者の体３０との接触面積を増加させることができ、掻き取り効果並びに拭き取り効果を更に高めることが可能となる。
【００６２】
その他の構成及び作用は、前記実施の形態と同様であるので、その説明を省略する。
【００６３】
[実施の形態５]
図１４はこの発明の実施の形態５を示すものであり、前記実施の形態１と同一の部分には同一の符号を付して説明すると、この実施の形態５は、前記板状部材は、手の指を挿通することで把持する把持部を有するように構成したものである。
【００６４】
すなわち、この実施の形態５に係る介護用具１は、図１４に示すように、板状部材２の突出部５に沿って手の指を挿通することで把持するスリット状の開口部からなる把持部５０を備えている。
【００６５】
この実施の形態５では、介護用具１を使用する際に、板状部材２の把持部５０に指先を通した状態で、板状部材２を把持することができ、掻き取り並びに拭き取り作業を容易に行うことができる。
【００６６】
その他の構成及び作用は、前記実施の形態１と同様であるので、その説明を省略する。
【符号の説明】
【００６７】
１…介護用具
２…板状部材
３…湾曲部
４…シート状部材
５…突出部
【図１】
2017118986.tif 000003
【図２】
2017118986.tif 000004
【図３】
2017118986.tif 000005
【図４】
2017118986.tif 000006
【図５】
2017118986.tif 000007
【図６】
2017118986.tif 000008
【図７】
2017118986.tif 000009
【図８】
2017118986.tif 000010
【図９】
2017118986.tif 000011
【図１０】
2017118986.tif 000012
【図１１】
2017118986.tif 000013
【図１２】
2017118986.tif 000014
【図１３】
2017118986.tif 000015
【図１４】
2017118986.tif 000016